(57)【特許請求の範囲】
【請求項１】
防水式中空用アンカーは、ネジ部、挿入埋設されるアンカー部と先端部が、一体で構成され、前記ネジ部、前記アンカー部と前記先端部を貫通する打込ピン用貫通孔を有し、前記ネジ部は、締め付けナットが、ねじ込めるネジ、前記打込ピン用貫通孔と防水用ネジ部押しキャップを有し、前記アンカー部は、打込ピン用貫通孔、アンカー本体と前記打込ピンが、打ち込まれると外側が拡張する拡張式アンカーを有し、前記先端部は、起倒式ラッチ金物と接着系溶剤保持袋を有し、前記接着系溶剤保持袋は、前記起倒式ラッチ金物を覆い、前記起倒式ラッチ金物の動きを抑える構造とし、前記アンカー本体の前記起倒式ラッチ金物側端部と接着接続され、前記防水式中空用アンカー挿入用貫通孔を開削後、前記防水式中空用アンカーを挿入し、前記打込ピン用貫通孔を通して、前記接着系溶剤保持袋に空気を送り込み、前記接着系溶剤保持袋を膨らませ、前記起倒式ラッチ金物が、自由に動ける状態にし、前記起倒式ラッチ金物を起倒させて、前記防水式中空用アンカーを前記貫通孔から抜けなくし、前記打込ピン用貫通孔を通して、前記接着系溶剤保持袋に接着系溶剤を送り込み、内部を充満させ、充満後、前記締め付けナットを充分に締め付けする事を特徴とする
防水式中空用アンカー
【請求項２】
前記締め付け後、前記打込ピン用貫通孔に前記打込ピンを打ち込み、前記拡張式アンカーを拡張させ、前記拡張式アンカー外側を前記アンカーボルト挿入用貫通孔の側壁に強力に押し付け、接触力を増す事を特徴とする請求項１に記載の防水式中空用アンカー
【発明の詳細な説明】
【技術分野】
【０００１】
中空壁アンカーの分野は、壁の種類や厚みにより、いろんな種類があります。
【背景技術】
【０００２】
いろんな種類の中空アンカーは、有りますが、防水性のある中空アンカーは、ありません。
【０００３】
最近、下水道工事に従来のコンクリート製のマンホールに変わり、磁器製のレジンマンホールが据え付けられます。マンホールの中では、汚水の中に含まれる汚物により、硫化水素等の腐食性のガスが発生し、コンクリートのマンホールの場合、側壁が、腐食いたします。防蝕塗装を塗ったりしますが、経年変化で腐食いたします。その対策として、最近は、レジンマンホールが、数多く採用されています。
【０００４】
レジンマンホールは、マンホールの底板と側壁が、セメントと水を使用せず、熱硬化性樹脂、骨材と充填材を加えて練り混ぜたレジンコンクリートで出来ており、いろんな特徴がありますが、硫化水素に強く、側壁に付着物がつきにくいことも採用される一因と考えます。
【０００５】
コンクリート製のマンホールは、肉厚で側壁なども１００mm以上有りますが、
レジンマンホールは、強度が強いため、薄くなっています。その為、打ち込み式アンカー方式の場合、下孔をあける時に貫通してしまったり、打ち込み式アンカーをハンマーで打ち込んだ時に、割れて、穴が、貫通したりします。
【０００６】
特開2000-120236号は、アンカーボルトの防水に付いてのべられています。
前記特開2000-120236号は、防水層を貫通したアンカーに防水製のあるキャップをかぶせる等の方法で、水が、アンカーを打ち込んだ先に侵入しないための方法が述べられています。
【０００７】
例えば、屋上の防水層にアンカーを打ち、其の侭、放置すると、アンカー周辺より雨水が浸水します。それを防止するためのキャップなどと考えました。
【先行技術文献】
【特許文献】
【０００８】
【特許文献１】特開2000-120236号
【発明の概要】
【発明が解決しようとする課題】
【０００９】
マンホールの槽内施工中に、いろんな器具を取り付けるために、アンカーボルトを打ち込みます。アンカーボルトの種類としては、打ち込み式や、接着系のアンカーボルトが有ります。
【００１０】
アンカーボルトを取り付けるために、下孔をドリルで開削します。
問題は、このとき発生します。ドリルのキリが、マンホールの底板や側壁を貫通してしまうことが多々あります。原因は、マンホールの壁の厚みが確定できないまま孔を開けますので、マンホールの厚みが想像より薄かったり、開けた下孔が、深すぎたり、下孔を開ける力でマンホールが割れたり、いろいろ考えられます。マンホールを貫通してしまった時に、マンホールの外に水がいた場合は、マンホールの中に、水が侵入してきます。
【００１１】
水の入り方も、マンホールが深く、貫通部も深い位置の時に、水圧の関係で強い勢いで、水が侵入してきます。この水を止めるのが大変ですし、貫通してしまうと打ち込み式アンカーも接着系アンカーも使えません。他の場所にアンカーを打つ場所を変更することは、寸法上の問題など多々問題が、発生します。
貫通して中空になってしまった側壁、底板や天井に使えるアンカーで、強い防水機能を持った防水式中空用アンカーを開発することが課題です。        
【課題を解決するための手段】
【００１２】
マンホールの側壁を貫通してしまうと、側壁は、中空壁となり、アンカーは、中空壁用アンカーしか使えなくなります。しかし、マンホールの外には、常に水が、存在しますので、水が、マンホールの中に侵入してきます。その為、中空壁で使用でき、中空壁の向こうの水をマンホールの中に入れない、防水機能を持った防水式中空用アンカーを開発します。
【００１３】
防水式中空用アンカーは、ネジ部、挿入埋設されるアンカー部と先端部が、一体で構成され、前記ネジ部、前記アンカー部と前記先端部を貫通する打込ピン用貫通孔を有し、前記ネジ部は、締め付けナットが、ねじ込めるネジ、前記打込ピン用貫通孔と防水用ネジ部押しキャップを有し、前記アンカー部は、打込ピン用貫通孔、アンカー本体と前記打込ピンが、打ち込まれると外側が拡張する拡張式アンカーを有し、前記先端部は、起倒式ラッチ金物と接着系溶剤保持袋を有し、前記接着系溶剤保持袋は、前記起倒式ラッチ金物を覆い、前記起倒式ラッチ金物の動きを抑える構造とし、前記アンカー本体の前記起倒式ラッチ金物側端部と接着接続され、前記防水式中空用アンカー挿入用貫通孔を開削後、前記防水式中空用アンカーを挿入し、前記打込ピン用貫通孔を通して、前記接着系溶剤保持袋に空気を送り込み、前記接着系溶剤保持袋を膨らませ、前期起倒式ラッチ金物が、自由に動ける状態にし、前期起倒式ラッチ金物を起倒させて、前記防水式中空用アンカーを前期貫通孔から抜けなくし、前記打込ピン用貫通孔を通して、前記接着系溶剤保持袋に接着系溶剤を送り込み、内部を充満させ、充満後、前記締め付けナットを充分に締め付けする事を特徴とします。
【００１４】
前記ナットを締め付け後、前記打込ピン用貫通孔に前記打込ピンを打ち込み、前記拡張式アンカーを拡張させ、前記拡張式アンカー外側を前記防水式中空用アンカー挿入用貫通孔の側壁に強力に押し付け、接触力を増す事を特徴とします。
【発明の効果】
【００１５】
うっかり貫通させても従来の打ち込み式アンカーや接着系アンカーでは、出来なかった止水とアンカー作業ができるようになる。
【００１６】
貫通してもすぐに継続施工できるので安心できる。
【００１７】
接着系アンカーのように硬化時間を待たずに、打込ピンを打ち込み、前記拡張式アンカーを拡張させたらすぐに効果が出る。
【図面の簡単な説明】
【００１８】
【図１】アンカーボルト施工イメージ図
【図２】防水式中空用アンカーイメージ図
【図３】防水式中空用アンカー施工イメージ図  １
【図４】防水式中空用アンカー施工イメージ図  ２
【符号の説明】
【００１９】
１            キリ回転中      
２            開孔部断面図
３            打ち込み式アンカーボルト
４            ケミカル式アンカーボルト
５            中空壁貫通部断面図
６            防水式中空用アンカー
７            ネジ部
８            防水用ネジ部押しキャップ
９            打ち込みピン用貫通孔
１０          起倒式ラッチ金物
１１          接着系溶剤保持袋
１２          締め付けナット
１３          打込ピン
１４          拡張式アンカー
【発明を実施するための形態】
【００２０】
以下、本発明の実施の形態を図に基づいて説明する。
図１は、従来の打ち込み式アンカーボルトと接着系アンカーボルトの施工のイメージ図です。
先ず、回転中キリ１で、横孔２を開けます。開孔部断面図のように横孔２が、あきます。アンカーボルト３を横孔に挿入します。打ち込みピンを打ち込みます。
ピンが入って行く事で、アンカーが拡張し、側壁に強力にコンタクトします。
打ち込み式アンカーの場合、アンカーボルト3が、拡張し、側壁にコンタクトすることで強力な接触力になります。この場合、施工完了すると、直ぐに使える状態です。
【００２１】
４は、従来の接着系アンカーボルト施工イメージ図です。
先ず、回転中キリ１で、横孔２を開けます。開孔部断面図のように横孔が、あきます。横孔２に接着系溶剤容器を挿入し、溶剤容器の保護カバーを破砕し、硬化剤を放出し、アンカーボルト４を硬化材の中に挿入し硬化材の硬化を待ちます。薬剤によって１〜時間待ちとなります。この待ち時間が、接着系アンカーの欠点と言えます。
【００２２】
図２は、防水式中空用アンカー６のイメージ図です。
防水式中空用アンカー６は、ネジ部、挿入埋設されるアンカー部と先端部が、一体で構成され、前記ネジ部７、前記アンカー部と前記先端部を貫通する打込ピン用貫通孔９を有し、前記ネジ部は、締め付けナット１２が、ねじ込めるネジ７、前記打込ピン用貫通孔９と防水用ネジ部押しキャップ８を有し、前記アンカー部は、打込ピン用貫通孔９、アンカー本体と前記打込ピンが、打ち込まれると外側が拡張する拡張式アンカー１４を有し、前記先端部は、起倒式ラッチ金物１０と接着系溶剤保持袋１１を有し、前記接着系溶剤保持袋１１は、前記起倒式ラッチ金物１０を覆い、前記起倒式ラッチ金物１０の動きを抑える構造とし、前記アンカー本体の前記起倒式ラッチ金物１０側端部と接着接続される。
【００２３】
図３は、前記防水式中空用アンカー挿入用貫通孔５を開削後、前記防水式中空用アンカー６を挿入し、前記打込ピン用貫通孔９を通して、前記接着系溶剤保持袋１１に空気を送り込み、前記接着系溶剤保持袋１１を膨らませ、前期起倒式ラッチ金物１０が、自由に動ける状態にし、前期起倒式ラッチ金物１０を起倒させて、前記防水式中空用アンカー６を前期貫通孔５から抜けなくし、前記打込ピン用貫通孔９を通して、前記接着系溶剤保持袋１１に接着系溶剤を送り込み、内部を充満させ、充満後、前記締め付けナット１２を充分に締め付けします。前期起倒式ラッチ金物１０の動きとしては、防水式中空用アンカー挿入用貫通孔５を通る時は、アンカー本体と平行で、防水式中空用アンカー挿入用貫通孔５を通り終わり、接着系溶剤保持袋１１を膨らませ、前期起倒式ラッチ金物１０が、自由に動ける状態にした時、アンカー本体と直角の位置に動く事を、起倒と表現しています。
起倒式ラッチ金物１０が、起倒し、アンカー本体と直角の位置に動く事でアンカー本体が、防水式中空用アンカー挿入用貫通孔５から抜けなくなります。
【００２４】
図４は、前記締め付けナット１２を締め付け後、前記打込ピン用貫通孔９に前記打込１３ピンを打ち込み、前記拡張式アンカー１４を拡張させ、前記拡張式アンカー１４外側を前記防水式中空用アンカー６挿入用貫通孔５の側壁に強力に押し付け、接触力を増します。
【要約】 
【課題】
貫通して中空になってしまった側壁、底板や天井に使えるアンカーで、強い
防水機能を持った防水式中空用アンカーを開発することが課題です。
【解決手段】  
図３は、前記防水式中空用アンカー挿入用貫通孔５を開削後、前記防水式中空用アンカー６を挿入し、前記打込ピン用貫通孔９を通して、前記接着系溶剤保持袋１１に空気を送り込み、前記接着系溶剤保持袋１１を膨らませ、前期起倒式ラッチ金物１０が、自由に動ける状態にし、前期起倒式ラッチ金物１０を起倒させて、前記防水式中空用アンカー６を前期貫通孔５から抜けなくし、前記打込ピン用貫通孔９を通して、前記接着系溶剤保持袋１１に接着系溶剤を送り込み、内部を充満させ、充満後、前記締め付けナット１２を充分に締め付けします。
【選択図】  図３【図１】
0005534097.tif 000002
【図２】
0005534097.tif 000003
【図３】
0005534097.tif 000004
【図４】
0005534097.tif 000005